(57)【要約】【課題】  室内装飾用の造花は、主として紙、布、皮、プラスチック等で作られ飾られているが、新たに貝殻を使用した、室内または水中に飾ることができる光沢ある貝殻造花を提供する。【解決手段】  外殻全面を削除加工し、殻表部と殻の内面部を研磨仕上げた、光沢と肋がある曲面状の貝殻を花弁１２と、萼１３と、葉２と、茎３とに模造し、模造した花弁１２と萼１３で花１を形成し、花１と、葉２と、茎３とを透明接着剤で植物に形どり、自然の植物に似せる貝殻造花は、花瓶に挿しまたは台座に固定することで、室内および水中に飾ることができ、美しい真珠光沢をもつ貝殻造花とする。【選択図】図１
2015101800.tif 000002
【特許請求の範囲】
【請求項１】
殻両面に光沢と肋がある曲面状の貝殻で、花に模造する手段と、葉に模造する手段と、茎に模造する手段と、自然の花に似せる手段とで形成することを特徴とする貝殻造花。
【請求項２】
前記殻両面に光沢と肋がある曲面状の貝殻は、ミミガイ科、サザエ科、ニシキウズガイ科、ウグイスガイ科に属する貝殻の外殻全面を削除加工し、殻表部と殻の内面部を研磨仕上げて、光沢と肋がある曲面形状とすることを特徴とする請求項１記載の貝殻造花。
【請求項３】
前記花に模造する手段は、前記光沢と肋がある曲面状の貝殻の曲面部を花弁と萼に形成加工し、形成加工した花弁と、形成加工した萼とを透明接着剤で花の形状に形成加工し、貝殻の花とすることを特徴とする請求項１記載の貝殻造花。
【請求項４】
前記葉に模造する手段は、前記光沢と肋がある曲面状の貝殻の曲面部を葉の形状に形成加工し、貝殻の葉とすることを特徴とする請求項１記載の貝殻造花。
【請求項５】
前記茎に模造する手段は、前記光沢と肋がある曲面状の貝殻の曲面部を茎の形状に形成加工し、貝殻の茎とすることを特徴とする請求項１記載の貝殻造花。
【請求項６】
前記自然の花に似せる手段は、前記貝殻の花と、前記貝殻の葉と、前記貝殻の茎とで形どりし、透明接着剤で接着固定し、自然の花に似せることを特徴とする請求項１記載の貝殻造花。
【請求項７】
請求項１記載の貝殻造花において、前記貝殻の茎に代えて、プラスチックパイプで作る茎。
【請求項８】
請求項１記載の貝殻造花を花瓶に挿し、または台座に固定し、室内および水中に飾る装飾品。
【発明の詳細な説明】
【技術分野】
【０００１】
本発明は、貝殻を使用し装飾品とする貝殻造花に関するものである。
【背景技術】
【０００２】
本物の花、葉、茎に似せて作る造花は、鑑賞する楽しみ、飾る楽しみ、作る楽しみを得るため、次のような造花生成技術の提案が成されている。  
室内装飾用の造花は、主として紙、布等で作られ、その形状を保持するために、硬化性シリコン樹脂液を塗布する技術、ワックスを浸み込ませる技術が記載されている。（特許文献１、特許文献２参照）
造花の茎となる部位を可塑性の金属線とし、植物に巻きつける技術が記載されている。（特許文献３参照）
造花の花は、模擬宝石の裏側に反射板を貼着した花弁と花弁を支える舌状部を備えた萼とで構成し、金属薄板を円筒形に形成した茎に円筒形の枝を固定し、茎の端部を花に貫入し、接着剤で固定し、葉を片面接着した柄を枝に装着される技術が記載されている。（特許文献４参照）
生花由来の花弁を水分除去または花弁形状に打ち抜き、アクリル樹脂コーティング処理し、花弁とする技術が記載されている。（特許文献５参照）
金属のプレス成形または樹脂成形した花冠部材の花弁部に宝飾体を位置決め接着し、合成樹脂、紙等の材料で円筒に形成し、内部に塑性変形可能な金属線材を挿入し変形可能とする茎部材と結合し、更に葉部材を茎部材に結合すろ技術が記載されている。（特許文献６参照）
【０００３】
しかし、これらの造花生成技術は、造花の形状生成技術以外の花弁成形、コーティング等の装飾技術の付帯技術が含まれ、それぞれの製作工程を経ることが必要とする問題点があった。
【先行技術文献】
【特許文献】
【０００４】
【特許文献１】特開平６−１４６１０４号公報。
【特許文献２】特開２００８−３１６１６号公報
【特許文献３】特開平５−３２１００７号公報
【特許文献４】特開２００３−３２８２２１号公報
【特許文献５】特開２００６−５７２０３号公報
【特許文献６】特開２００９−１１４６０２号公報
【発明の概要】
【発明が解決しようとする課題】
【０００５】
本発明の課題は、上述したような問題点を解決するものであり、美しい光沢を持つ貝殻を花弁、葉の形状に加工し、造花とすることが技術的課題である。
【課題を解決するための手段】
【０００６】
本発明は、貝殻の外殻全面を削除加工で取り除き、殻表部と殻の内面部を研磨仕上げて、光沢と肋がある曲面形状の貝殻で、花に模造し、葉に模造し、茎に模造し、自然の花に似せる貝殻造花とするものである。
【０００７】
ミミガイ科、サザエ科、ニシキウズガイ科、ウグイスガイ科に属する貝殻の外殻全面を削除加工し、殻表部と殻の内面部を研磨仕上げし、光沢と肋がある曲面状の貝殻とし、前記光沢と肋がある曲面状の貝殻を花弁と萼に形成加工し、形成加工した花弁と、形成加工した萼とを透明接着剤で花の形状に形成加工し、前記光沢と肋がある曲面状の貝殻を、葉の形状に形成加工し、前記光沢と肋がある曲面状の貝殻を茎の形状に形成加工し、透明接着剤で、自然の花に似せる貝殻造花とする。前記茎は、貝殻に代えてプラスチックパイプで装飾性を高めることができる。
貝殻造花を花瓶に挿し、または台座に固定し、室内および水中に飾る装飾品とする。
【発明の効果】
【０００８】
以上のように、本発明は、貝殻の光沢と肋がある曲面部を形状加工し、直接造花部品とすることで、従来の造花技術に含まれる付帯技術をなくし、美しい光沢の貝殻造花を作ることができる。
【図面の簡単な説明】
【０００９】
【図１】本図は、花、葉、茎を貝殻を使用して作る貝殻造花の斜視図である。
【図２】本図は、花、葉を貝殻を使用し、茎をプラスチックパイプを使用して作る貝殻造花の斜視図である。
【発明を実施するための形態】
【００１０】
以下本発明の形態を図１、図２に基づいて説明する。
【００１１】
殻両面に光沢と肋がある曲面状の貝殻は、ミミガイ科、サザエ科、ニシキウズガイ科、ウグイスガイ科に属する貝殻の外殻全面をグラインダーで削除加工し、殻表部と殻の内面部をヤスリ、研磨紙、砥石で研磨仕上げし、殻両面に光沢と肋がある曲面状の貝殻とする。
【００１２】
殻両面に光沢と肋がある曲面状の貝殻を花弁１２と萼１３の形状に切断工具で形成加工し、花弁１２と萼１３を透明接着剤で形成固定し、花１に模造する。
花弁１２は、ミミガイ科、サザエ科、ウグイスガイ科に属する貝殻で、殻の螺肋、縦肋を組入れた曲面の花弁１２を形成する。
萼１３に形成する貝殻は、サザエ科、ニシキウズガイ科に属する小さい貝殻の螺塔部と殻口部とを削除し、中央部で、萼１３を作る。またはアワビの呼水口部を形成加工し、萼１３を作る。
【００１３】
殻両面に光沢と肋がある曲面状の貝殻を葉２の形状に切断工具で形成加工し、葉２に模造する。
葉２に形成する貝殻は、ミミガイ科、サザエ科、ウグイスガイ科に属する貝殻で、殻の螺肋、縦肋で葉脈と光沢ある曲面状の葉２とする。
【００１４】
アワビの殻の縁辺部を茎３の形状に切断工具で形成加工し、茎３に模造する。
茎３の長さは、アワビの縁辺部を複数枚重ね合せ接着し、所定の長さにすることができる。
茎３と葉２を連結する葉柄３２は、アワビの縁辺部を切断工具で形成加工し、片端部に葉２を挿入する切込み部を有する形状とする。
図２の茎Ｂ４と葉柄Ｂ４２は、プラスチックパイプを熱風加工で、曲げることができ、パイプ内に毛糸、飾り紐を挿入し維管束５とする。茎Ｂ４には、葉柄Ｂ４２を挿入固定する接続穴を設けている。
【００１５】
図１と図２に示すように、模造の花１と、模造の葉２と、模造の茎３または模造の茎Ｂ４、模造の葉柄３２または模造の葉柄Ｂ４２とを透明接着剤で形成固定し、自然の花に似せる貝殻造花である。
【符号の説明】
【００１６】
１  花
１２  花弁
１３  萼
２  葉
３  茎
３２  葉柄
４  茎Ｂ
４２  葉柄Ｂ
５  維管束
【図１】
2015101800.tif 000003
【図２】
2015101800.tif 000004